【手続補正書】
【提出日】平成15年6月24日(2003.6.24)
【手続補正１】
【補正対象書類名】明細書
【補正対象項目名】特許請求の範囲
【補正方法】変更
【補正の内容】
【特許請求の範囲】
【請求項１】
受信機と、
送信機と、
該送信機及び受信機間のシリアルリンクであって、該送信機は、入力データを受信するために結合され、該入力データを符号化することによって一連の選択されたコードワードを発生させるように構成され、該シリアルリンクを通じて該選択されたコードワードを該受信機に送信するように構成され、該選択されたコードワードの各々がコードワード全セットの耐エラーサブセットメンバーであり、該入力データは該全セットの慣習的な一連のコードワードとして符号化が可能であり、該一連の選択されたコードワードは、該リンクを通じて送信中のシンボル間干渉に対して該慣習的な一連のコードワードより鈍感であるシリアルリンクとから成る通信システム。
【請求項２】
該入力データが補助データであり、該送信機がビデオデータを受信するように結合されかつ該ビデオデータを符号化することによってビデオコードワードのシーケンスを発生させるように構成され、該送信機は該ビデオコードワードの第２バーストによって後続される該選択されたコードワードのバーストによって後続される該ビデオコードワードの第１バーストを、該シリアルリンクを通じて該受信機に送信するように構成される、請求項１のシステム。
【請求項３】
該送信機が、また制御ビットを受信するようにも結合され、該制御ビットを符号化することによって符号化された制御ワードのバーストを発生させるように構成され、かつ該シリアルリンクを通じて該ビデオコードワードの該第１バースト及び該選択されたコードワードの該バースト間の該符号化された制御ワードと、該選択されたコードワードのバースト及び該ビデオコードワードの該第２バースト間の該符号化された制御ワードの第２バーストとを該受信機に送信するように構成される、請求項２のシステム。
【請求項４】
該選択されたコードワードが少なくとも1つのガードバンドワードを含み、該選択されたコードワードの該バーストが初期ワードを有し、該初期ワードが該ガードバンドワードである、請求項３のシステム。
【請求項５】
該選択されたコードワードが少なくとも1つのガードバンドワードを含み、該選択されたコードワードの該バーストがワードの初期セットを有し、ワードの該初期セットの各ワードが１つの前記ガードバンドワードである、請求項３のシステム。
【請求項６】
該選択されたコードワードが少なくとも１つのガードバンドワードを含み、該選択されたコードワードの該バーストが最終ワードを有し、該最終ワードが該ガードバンドワードである、請求項３のシステム。
【請求項７】
該選択されたコードワードが少なくとも１つのガードバンドワードを含み、該選択されたコードワードの該バーストがワードの最終セットを有し、ワードの該最終セットの各ワードが１つの前記ガードバンドワードである、請求項３のシステム。
【請求項８】
該シリアルリンクがＴＭＤＳリンクであり、該選択されたコードワードが、ガードバンドワードとして用いられる少なくとも1つの転移最小化されたＴＭＤＳを含む、１７の異なった転移最小化ＴＭＤＳからなる、請求項３のシステム。
【請求項９】
該選択されたコードワードは、第１ガードバンドワード及び第２ガードバンドワードを含む少なくとも２つのガードバンドワードを含み、該ビデオコードワードの該第２バーストは初期ワードを有し、該ビデオコードワードの該第２バーストの初期ワードは該第１ガードバンドワードであり、該選択されたコードワードの該バーストは初期ワードを含み、該選択されたコードワードの該バーストの該初期ワードは該第２ガードバンドワードである、請求項３のシステム。
【請求項１０】
該シリアルリンクはＴＭＤＳリンクであり、該選択されたコードワードは、前記第２ガードバンドワードとしてのみ用いられる転移最小化されたＴＭＤＳコードワードと、前記第１ガードバンドとして用いられると共にまた該選択されたコードワードの前記バースト内の該選択されたコードワードとしても用いられる別の転移最小化されたＴＭＤＳコードワードとを含む、７つの異なった転移最小化ＴＭＤＳコードワードからなる、請求項９のシステム。
【請求項１１】
該入力データは補助データであり、該送信機がビデオデータを受信するように結合されかつ該ビデオデータを符号化することによってビデオコードワードのシーケンスを発生させるように構成され、該送信機は、該シリアルリンクを通じて、該ビデオコードワードのバーストによって後続される該選択されたコードワードのバーストを受信するように構成され、該ビデオコードワードの各々がコードワードの該全コードワードセットのメンバーであり、該ビデオコードワードの少なくとも１つが該耐エラーサブセットのメンバーではない、請求項１のシステム。
【請求項１２】
該送信機はまた制御ビットを受信するように結合され、該制御ビットを符号化することによって符号化された制御ワードのバーストを発生させるように構成され、該選択されたコードワードのバースト及び該ビデオコードワードのバースト間の該符号化された制御ワードを該シリアルリンクを通じて該受信機に送信するように構成される、請求項１１のシステム。
【請求項１３】
該選択されたコードワードは少なくとも1つのガードバンドワードを含み、該ビデオコードワードの該バーストは初期ワードを有し、該初期ワードが該ガードバンドワードである、請求項１２のシステム。
【請求項１４】
該選択されたコードワードは少なくとも１つのガードバンドワードを含み、該ビデオコードワードの該バーストはワードの初期セットを有し、ワードの該初期セットの各ワードが１つの前記ガードバンドワードである、請求項１２のシステム。
【請求項１５】
該シリアルリンクがＴＭＤＳリンクである、請求項１のシステム。
【請求項１６】
該選択されたコードワードは、ガードバンドワードとしてのみ用いられる1つのＴＭＤＳコードを含む１７の異なったＴＭＤＳコードワードからなる、請求項１５のシステム。
【請求項１７】
該選択されたコードワードは、ガードバンドワードとしてのみ用いられる転移最小化ＴＭＤＳを含む１７の異なった転移最小化されたＴＭＤＳコードワードからなる、請求項１５のシステム。
【請求項１８】
該選択されたコードワードの各々がＬビット２進ワードである、請求項１のシステム。
【請求項１９】
該選択されたコードワードの各々がＬビット２進ワードであり、該選択されたコードワードの少なくとも1つのサブセットの各々が該入力データのＭビットワードを示し、ここではＭはＬ未満である、請求項１のシステム。
【請求項２０】
Ｌ＝１０及びＭ＝４である、請求項１９のシステム。
【請求項２１】
該送信機が該入力データの原始ワードを受信するように結合され、ここでは該原始ワードの各々がＮビット含み、ＮはＬ未満であり、ＮはＭより大きく、該原始ワードを該入力データのＭビットワード内にパックすると共に該入力データの該Ｍビットワードの各々を該選択されたコードワードの１つとして符号化するように該送信機が構成される、請求項１９のシステム。
【請求項２２】
該選択されたコードワードの各々がＬビット２進ワードであり、該選択されたコードワードの第１サブセットは該入力データのＭビットワードを示し、ここでＭはＬ未満であり、該選択されたコードワードの第２サブセットは該入力データのＮビットワードを示し、ここでＮはＭ未満である、請求項１のシステム。
【請求項２３】
Ｌ＝１０、Ｍ＝４及びＮ＝２である、請求項２２のシステム。
【請求項２４】
コードワードの該全セットが１０ビットの転移最少化されたＴＭＤＳコードワードである、請求項１のシステム。
【請求項２５】
該選択されたコードワードの各々はＬ２進ビットのシーケンスを示し、該選抜されたコードワードは、該選択されたコードワードを除く該全コードワードセットの該コードワードが有するよりも、平均でより少ないコードワード当たりの連続した０ビット及び連続した１ビットを有する、請求項１のシステム。
【請求項２６】
該選択されたコードワードの各々は２進ビットの異なったシーケンスを示し、該送信機は、選択されたコードワードのシーケンスを、上昇及び下降する電圧転移のシーケンスとして、該シリアルリンクを通じて該受信機に送信するように構成され、該選択されたコードワードは、選択されたコードワードの前記シーケンス送信中に該シリアルリンクの電圧ドリフトを予め決定した量に制限することによってＤＣ平衡化を実行するビットパターンを有する、請求項１のシステム。
【請求項２７】
該入力データが補助データであり、該送信機がビデオデータを受信するように結合されかつ該ビデオデータを符号化することによってビデオコードワードのシーケンスを発生させるように構成され、かつ該送信機が、該ビデオコードワードの第２バーストによって後続される該選択されたコードワードの少なくとも２つのバーストによって後続される該ビデオコードワードの第１バーストを、該シリアルリンクを通じて該受信機に送信するように構成され、該ビデオコードワードの各々が該全コードワードセットのメンバーであり、該ビデオコードワードの少なくとも１つが該耐エラーサブセットのメンバーではない、請求項１のシステム。
【請求項２８】
受信機と、
送信機と、
該送信機及び該受信機間の第１シリアルリンク、第２シリアルリンク及び第３シリアルリンクであって、該送信機が、入力データ及びビデオデータを受信するように結合され、該入力データを符号化することによって選択されたコードワードのシーケンスを発生させると共に該ビデオデータを符号化することによってビデオコードワードのシーケンスを発生させるように構成され、かつ該ビデオコードワードのバーストによって後続される該選択されたコードワードのバーストをシリアルリンクを通じて該送信機に送信し、該ビデオコードワードの第２バーストによって後続される該選択されたコードワードの第２バーストを該第２シリアルリンクを通じて該送信機に送信し、該ビデオコードワードの第３バーストによって後続される選択されたコードワードの第３バーストを該第３シリアルリンクを通じて該送信機に送信するように構成された第１シリアルリンク、第２シリアルリンク及び第３シリアルリンクとから成り、
該選択されたコードワードの各々が全コードワードセットの耐エラーサブセットのメンバーであり、該ビデオコードワードの各々が該全コードワードセットのメンバーであり、該ビデオコードワードの少なくとも１つが該耐エラーサブセットではないようにされ、
該選択されたコードワードのバーストによって決定される該入力データは、該全コードワードセットの該コードワードの第１慣習的なシーケンスとして符合化されることが可能であり、該選択されたコードワードの第２バーストによって決定される該入力データは、該全コードワードセットの該コードワードの第２慣習的なシーケンスとして符合化されることが可能であり、該選択されたコードワードの第３バーストによって決定される該入力データは該全コードワードセットの該コードワードの第３慣習的なシーケンスとして符合化されることが可能であり、さらに該選択されたコードワードの前記バーストは、該シリアルリンクを通じた送信中のシンボル間干渉に対して、該第１慣習的なシーケンスよりも鈍感であり、該選択されたコードワードの前記第２バーストは、該第２シリアルリンクを通じた送信中のシンボル間干渉に対して、該第２慣習的なシーケンスで感じられるより鈍感であり、該選択されたコードワードの前記第３バーストは、該第３シリアルリンクを通じた送信中のシンボル間干渉に対して、該第３慣習的なシーケンスよりも鈍感であることを特徴とする通信システム。
【請求項２９】
該送信機がまた制御ビットを受信するように結合され、該制御ビットを符号化することによって符号化された制御ワードのシーケンスを発生させるように構成され、かつ該選択されたコードワードの該バースト及び該ビデオコードワードの該バースト間の該符合化された制御ワードを該シリアルリンクを通じて該受信機に送信し、該選択されたコードワードの該第２バースト及び該ビデオコードワードの該第２バースト間の該符合化された制御ワードの第２バーストを該第２シリアルリンクを通じて該受信機に送信し、該選択されたコードワードの該第３バースト及び該ビデオコードワードの該第３バースト間の該符合化された制御ワードの第３バーストを該第３シリアルリンクを通じて該受信機に送信するように構成される、請求項２８のシステム。
【請求項３０】
該シリアルリンクがＴＭＤＳリンクの第１ビデオチャンネルであり、該第２シリアルリンクがＴＭＤＳリンクの第２ビデオチャンネルであり、該第３シリアルリンクがＴＭＤＳリンクの第３ビデオチャンネルである、請求項２８のシステム。
【請求項３１】
該選択されたコードワードが、ガードバンドワードとしてのみ用いられる１つのＴＭＤＳコードワードを含む１７の異なったＴＭＤＳコードワードからなる、請求項３０のシステム。
【請求項３２】
該選択されたコードワードが、ガードバンドワードとしてのみ用いられる１つの転移最小化されたＴＭＤＳコードワードを含む１７の異なった転移最小化ＴＭＤＳコードワードからなる、請求項３０のシステム。
【請求項３３】
シリアルリンクを通じてデータ送信に用いる送信機であって、  入力データを受信する少なくとも1つの入力と、
該リンクのチャンネルと結合されるように構成される出力と、
前記各入力及び該出力と結合され、該入力データを符号化することによって選択されたコードワードの該シーケンスを発生させると共に該入力信号に応答して選択されるコードワードのシーケンスを該出力に表明するように構成される回路要素であって、該選択されたコードワードの各々が全コードワードセットの耐エラーサブセットであり、該入力データが該全コードワードセットの慣習的なコードワードシーケケンスとして符合化されることが可能であり、選択されたコードワードの該シーケンスが、コードワードの慣習的なシーケンスよりも該リンクを通じた送信中のシンボル間干渉に対してより鈍感で回路要素とから成る送信機。
【請求項３４】
該入力データは補助データ及びビデオデータを含み、該回路要素が該ビデオデータを符合化することによってビデオコードワードシーケンスを発生させると共に、該ビデオコードワードの第２バーストによって後続される該選択されたコードワードのバーストによって後続されるビデオコードワードの第１バーストを該出力に表明するように構成され、該ビデオコードワードの各々が該コードワードセットのメンバーでありかつ該ビデオコードワードの少なくとも1つが該耐エラーサブセットのメンバーではない、請求項３３の送信機。
【請求項３５】
該回路要素がまた制御ビットを受信するように結合され、該制御ビットを符合化することによって符号化された制御ワードのバーストを発生させると共に、該ビデオコードワードの該第１バースト及び該選択されたコードワードの該バースト間の該符合化された制御ワードの第１バーストと、該選択されたコードワードの該バースト及び該ビデオコードワードの該第２バースト間の該符合化された制御ワードの第２バーストとを該出力に表明するように構成される、請求項３４の送信機。
【請求項３６】
該選択されたコードワードは少なくとも1つのガードバンドワードを含み、該選択されたコードワードの該バーストは初期ワードを有し、該初期ワードが該ガードバンドワードである、請求項３５の送信機。
【請求項３７】
該選択されたコードワードは少なくとも1つのガードバンドワードを含み、該選択されたコードワードの該バーストはワードの初期セットを有し、ワードの該初期セットの各ワードが前記ガードバンドワードの1つである、請求項３５の送信機。
【請求項３８】
該選択されたコードワードは少なくとも1つのガードバンドワードを含み、該選択されたコードワードの該バーストは最終ワードを有し、該最終ワードが該ガードバンドワードである、請求項３５の送信機。
【請求項３９】
該選択されたコードワードは少なくとも1つのガードバンドワードを含み、該選択されたコードワードの該バーストはワードの最終セットを有し、ワードの該最終セットの各々が前記ガードバンドワードの1つである、請求項３５の送信機。
【請求項４０】
該シリアルリンクがＴＭＤＳリンクであり、該選択されたコードワードが、ガードバンドワードとして用いられる少なくとも1つの転移最小化されたＴＭＤＳを含む、１７の異なった転移最小化ＴＭＤＳからなる、請求項３５の送信機。
【請求項４１】
該選択されたコードワードが、第１ガードバンドワード及び第２ガードバンドワードを含む少なくとも２つのガードバンドワードを含み、該ビデオコードワードの該第２バーストは初期ワードを有し、該ビデオコードワードの該第２バースト該初ワードは該第１ガードバンドワードであり、該選択されたコードワードの該バーストは初期ワードを有し、該選択されたコードワードの該バーストの該初期ワードは該第２ガードバンドワードである、請求項３５の送信機。
【請求項４２】
該シリアルリンクはＴＭＤＳリンクであり、該選択されたコードワードは１７の異なった転移最小化されたＴＭＤＳコードワードからなり、前記ＴＭＤＳコードワードは、前記第２ガードバンドワードとしてのみ用いられる１つの転移最小化ＴＭＤＳコードワードと、前記第１ガードバンドとしてもちいられかつ選択されたコードワードの前記バースト内の該選択されたコードワードの１つとしても用いられる別の転移最小化ＴＭＤＳコードワードと含む、請求項４１の送信機。
【請求項４３】
該シリアルリンクがＴＭＤＳリンクであり、該選択されたコードワードは、該ガードバンドワードとしてのみ用いられる1つのＴＭＤＳコードワードを含む１７の異なったＴＭＤＳコードワードからなる、請求項３４の送信機。
【請求項４４】
該選択されたコードワードは、該ガードバンドワードとしてのみ用いられる1つの転移最少化されたＴＭＤＳコードワードを含む１７の異なった転移最少化ＴＭＤＳコードワードからなる、請求項３４の送信機。
【請求項４５】
該選択されたワードの各々がＬビット２進ワードである、請求項３３の送信機。
【請求項４６】
該選択されたコードワードの各々がＬビット２進ワードであり、該選択されたコードワードの少なくとも1つのサブセットの各々が該入力データのＭビットワードを示し、ここではＭはＬ未満である、請求項３３の送信機。
【請求項４７】
Ｌ＝１０及びＭ＝４である、請求項４６の送信機。
【請求項４８】
該回路要素が該入力データの原始ワードを受信するように結合され、ここでは該原始ワードの各々がＮビット含み、ＮはＬ未満であり、ＮはＭより大きく、該原始ワードを該入力データのＭビットワード内にパックすると共に該入力データの該Ｍビットワードの各々を該選択されたコードワードの１つとして符号化するように該回路要素が構成される、請求項４６の送信機。
【請求項４９】
該選択されたコードワードの各々がＬビット２進ワードであり、該選択されたコードワードの第１サブセットは該入力データのＭビットワードを示し、ここでＭはＬ未満であり、該選択されたコードワードの第２サブセットは該入力データのＮビットワードを示し、ここでＮはＭ未満である、請求項３３の送信機。
【請求項５０】
Ｌ＝１０、Ｍ＝４及びＮ＝２である、請求項４９の送信機。
【請求項５１】
該全コードワードセットが１０ビットの転移最少化されたＴＭＤＳコードワードである、請求項３３の送信機。
【請求項５２】
該選択されたコードワードの各々はＬ２進ビットのシーケンスを示し、該選択されたコードワードは、該全コードワットセットの、該選択されたコードワードを除くコードワードより平均で少ないコードワード当たりの連続した０ビット及び連続した１ビットを有する、請求項３３の送信機。
【請求項５３】
該選択されたコードワードの各々は２進ビットの異なったシーケンスを示し、該回路要素が、選択されたコードワードのシーケンスを上昇及び下降する電圧転移のシーケンスとして表明するように構成され、該選択されたコードワードは、選択された前記コードワードシーケンスの送信中該シリアルリンクの電圧ドリフトを予め決定した量に制限することによってＤＣ平衡化を実行するビットパターンを有する、請求項３３の送信機。
【請求項５４】
シリアルリンクを通じて送信するデータを符号化する方法であって、
ａ）全コードワードのコードワードの慣習的なシーケンスとして符号化され得る入力データのワードを与え、
ｂ）該入力データを符号化することによって選択されたコードワードのシーケンスを発生させ、該選択されたコードワードの各々が該全コードワードセットの耐エラーサブセットのメンバーであり、該リンクを通じた送信中のシンボル間干渉に対してコードワードの該シーケンスはコードワードの該慣習的なシーケンスより鈍感になるようにされることから成るデータ符号化方法。
【請求項５５】
該入力データは補助データ及びビデオデータを含み、
該ビデオデータを符号化することによってビデオコードワードのシーケンスを発生させ、 該リンクを通じて、該ビデオコードワードの第２バーストによって後続される該選択されたコードワードのバーストによって後続される該ビデオコードワードの第１バーストを送信し、該ビデオコードワードの各々が該全コードワードセットのメンバーであり、該ビデオコードワードの少なくとも1つは該耐エラーサブセットのメンバーではないようにされることをさらに含む、請求項５４の方法。
【請求項５６】
制御ビットを符号化することによって符号化された制御ワードを発生させ、
該リンクを通じて、該コードワードの該第１バースト及び該選択されたコードワードの該バースト間の該符号化された制御ワードの第１バーストと、該選択されたコードワードの該バースト及び該ビデオコードワードの該第２バースト間の該符号化された制御ワードの第２バーストを送信することをさらに含む、請求項５５の方法。
【請求項５７】
該選択されたコードワードが少なくとも１つのガードバンドワードを含み、該選択されたコードワードの該バーストが初期ワードを含み、該初期ワードが該ガードバンドワードである、請求項５６の方法。
【請求項５８】
該選択されたコードワードは少なくとも１つのガードバンドワードを含み、該選択されたコードワードの該バーストは最終ワードを含み、該最終ワードが該ガードバンドワードである、請求項５６の方法。
【請求項５９】
該選択されたコードワードは少なくとも１つのガードバンドワードを含み、該選択されたコードワードの該バーストは最終ワードを有し、該最終ワードが該ガードバンドワードである、請求項５６の方法。
【請求項６０】
該選択されたコードワードは少なくとも１つのガードバンドワードを含み、該選択されたコードワードの該バーストはワードの最終セットを有し、ワードの該最終セットの各ワードは前記ガードバンドワードの１つである、請求項５６の方法。
【請求項６１】
該選択されたコードワードが、１７の異なった転移最少化ＴＭＤＳコードワードからなり、ガードバンドワードとして用いられる少なくとも1つの転移最小化されたＴＭＤＳコードワードを含む、請求項５６の方法。
【請求項６２】
該選択されたコードワードは、第１ガードバンドワード及び第２ガードバンドワードを含む、少なくとも２つのガードバンドワードを含み、該ビデオコードワードの第２バーストは初期ワードを有し、ビデオコードワードの該第２バーストの該初期ワードが該第１ガードバンドワードであり、該選択されたコードワードの該バーストは初期ワードを有し、該選択されたコードワードの該バーストの該初期ワードが該第２ガードバンドワードである、請求項５６の方法。
【請求項６３】
該選択されたコードワードは、前記第２ガードバンドワードとしてのみ用いられる１つの転移最小化されたＴＭＤＳコードと、前記第１ガードバンドとして用いられると共に、該選択されたコードワードの前記バースト内で該選択されたコードワードの１つとしても用いられる別の転移最小化されたＴＭＤＳコードワードとを含む、１７の異なった転移最小化ＴＭＤＳからなる、請求項６２の方法。
【請求項６４】
該選択されたコードワードは、ガードバンドワードとしてのみ用いられる1つのＴＭＤＳコードを含む、１７の異なったＴＭＤＳコードワードからなる、請求項５４の方法。
【請求項６５】
該選択されたコードワードは、ガードバンドワードとしてのみ用いられる転移最小化されたＴＭＤＳコードを含む、１７の異なった転移最小化ＴＭＤＳからなる、請求項５４の方法。
【請求項６６】
該選択されたコードワードの各々がLビット２進ワードである、請求項５４の方法。
【請求項６７】
該選択されたコードワードの各々がＬビット２進ワードであり、該選択されたコードワードの少なくとも1つのサブセットの各々が該入力データのＭビットワードを示し、ここではＭはＬ未満である、請求項５４の方法。
【請求項６８】
Ｌ＝１０及びＭ＝４である、請求項６７の方法。
【請求項６９】
段階ａ）は、該入力データの原始ワードを与えることを含み、ここでは該原始ワードの各々がＮビット含み、ＮはＬ未満であり、ＮはＭより大きく、段階ｂ）は、該原始ワードを該入力データのＭビットワード内にパックしすると共に該入力データの該Ｍビットワードの各々を該選択されたコードワードとして符号化することを含む、請求項６７の方法。
【請求項７０】
該選択されたコードワードの各々がＬビット２進ワードであり、該選択されたコードワードが該入力データのＭビットワードを示し、ここでＭはＬ未満であり、該選択されたコードワードの第２サブセットが該入力データのＮビットワードを示し、ここでＮはＭ未満である、請求項５４の方法。
【請求項７１】
Ｌ＝１０、Ｍ＝４及びＮ＝２である、請求項７０の方法。
【請求項７２】
コードワードの該全セットが１０ビット転移最少化されたＴＭＤＳコードワードである、請求項５４の方法。
【請求項７３】
該選択されたコードワードの各々がＬ２進ビットのシーケンスを示し、該選択されたコードワードは、該選択されたコードワードを除いたものより平均で少ないコードワード当たりの連続した０ビット及び連続した１ビットを有する、請求項５４の方法。
【請求項７４】
該選択されたコードワードの各々が２進ビットの異なったシーケンスを示し、
該シリアルリンクを通じて上昇及び下降する電圧転移のシーケンスとして選択されたコードワードのシーケンスを送信し、該選択されたコードワードは、選択された前記コードワードシーケンスの送信中該シリアルリンクの電圧ドリフトを予め決定した量に制限することによってＤＣ平衡化を実行するビットパターンを有する、請求項５４の方法。
【請求項７５】
該入力データは補助データを含み、
該ビデオデータを符号化することによってビデオコードワードのシーケンスを発生させ、
該シリアルリンクを通じて、該ビデオコードワードの第２バーストによって後続される、該選択されたコードワードの少なくとも２つのバーストによって後続される、該ビデオコードワードの第１バーストを送信することをさらに含む、請求項５４の方法。
【手続補正２】
【補正対象書類名】明細書
【補正対象項目名】０００２
【補正方法】変更
【補正の内容】
【０００２】
【技術分野】
本発明は、送信中のシンボル間干渉又は他の誤差発生効果に起因するビット誤差率を低減させるように、符号化されたデータ（例えば、ビデオデータ及びオーディオデータ等の補助データの一方又は双方）を、連続リンク、即ち、シリアルリンクを通じて送信することに関する。ある実施形態ではシリアルリンクは、転移（過渡期）最少化された差動信号送信リンク（ＴＭＤＳ）リンクであるか又はＴＭＤＳリンク特性の全部ではないがその或る部分を有するリンクである。